(57)【要約】【課題】本発明は流動しない汚染水域の浄化システムを開示した。【解決手段】浄化処理器を含み、前記浄化処理器の中には浄化チャンバが設置され、本発明は構成が簡単であり、操作しやすく、メンテナンスが便利であり、また当該設備は汚染された水を設備の中に吸い込み、浄化作業を行い、人が干渉する必要がなく、水域の浄化効率を上げ、また作業員の作業環境を改善し、作業員の安全を保証し、しかも当該設備は水域の酸素含有量を増加でき、水域の中の動物の生存率を高め、水域の生態システムを守り、そのため、当該設備は高い使用価値と普及する価値を有する。【選択図】図１
2020203271.tif 000002
【特許請求の範囲】
【請求項１】
正面視で、浄化処理器を含み、前記浄化処理器の中には浄化チャンバが設置され、前記浄化チャンバの中には水域の富栄養化元素を処理できる混合浄化装置が設置され、更に水中の栄養塩含有量を下げることができ、更に水域を浄化し、前記浄化チャンバの頂壁の中には前記浄化チャンバに連通した濾過チャンバが設置され、前記濾過チャンバと前記浄化チャンバとの間には水が通ることに便利を与えるフィルターが設置され、前記濾過チャンバの頂壁の中には水送りチャンバが設置され、前記水送りチャンバの左右両側の内壁の中にはピストンかめが対称的に設置され、前記ピストンかめの中には汚染された水を設備の中に吸い込んで前記混合浄化装置の中に送り込むことができる水送り機構が設置され、更に汚染された水域に対して浄化作業を行うことができ、前記濾過チャンバの中には水の中の不純物を排出できるゴミ処理機構が設置され、更に不純物が前記混合浄化装置の中に入ることを避け、前記浄化チャンバの底壁の中には動力チャンバが設置され、前記動力チャンバの中には浄化された後の水を噴き出すことができる酸素増加装置が設置され、更に水域の酸素含有量を上げ、水域の中の動物が生きることに便利を与え、前記動力チャンバの中には当該装置に動力を提供する駆動機構が設置され、前記動力チャンバの中には動力を前記混合浄化装置の中に伝送できる減速装置が設置され、更に前記混合浄化装置の回転スピードを制御できることを特徴とする流動しない汚染水域の浄化システム。
【請求項２】
前記駆動機構は前記動力チャンバの底壁の中に設置された原動機を含み、前記動力チャンバの中には動力軸が設置され、前記動力軸の底端が前記原動機と動力が伝達できるように連結され、前記動力軸の外壁には前記水送り機構を連動させることができる動力ギヤが設置され、前記動力軸の外壁には前記減速装置を連動させて回転させることができる主動プーリが設置されたことを特徴とする請求項１に記載の流動しない汚染水域の浄化システム。
【請求項３】
前記原動機は電動機又は油圧モータであり、前記動力軸を駆動して回転させることができることを特徴とする請求項２に記載の流動しない汚染水域の浄化システム。
【請求項４】
前記水送り機構は前記ピストンかめの中にスライドできるように設置されたピストンを含み、前記ピストンかめの中には前記ピストンと固定的に連結されたピストンロッドがスライドできるように設置され、更に前記ピストンを連動させて左右へスライドさせることができ、前記水送りチャンバの頂壁には延伸チャンバが設置され、前記水送りチャンバの中にはクランク軸が設置され、前記クランク軸の外壁には回転できる回転ブロックが設置され、前記回転ブロックと前記ピストンロッドとの間はコンロッドを通してヒンジにより連結され、前記クランク軸の頂端には前記延伸チャンバの中に位置している水送りベベルギヤが設置され、更に前記クランク軸を連動させて回転させることができ、前記延伸チャンバの左壁の中には伝動チャンバが設置され、前記伝動チャンバの中には延伸軸が設置され、前記延伸軸の右端には前記延伸チャンバの中に位置しており、且つ前記水送りベベルギヤと噛み合っている従動ベベルギヤが設置され、更に前記水送りベベルギヤを連動させて回転させることができ、前記延伸軸の左端には前記伝動チャンバの中に位置している主動ベベルギヤが設置され、更に前記延伸軸を連動させて回転させることができ、前記動力チャンバの中には伝動軸が設置され、前記伝動軸の底端には前記動力チャンバの中に位置しており、且つ前記動力ギヤと噛み合っている伝動ギヤが設置され、更に前記伝動軸を連動させて回転させることができ、前記伝動軸の頂端には前記伝動チャンバの中に位置しており、且つ前記主動ベベルギヤと噛み合っている伝動ベベルギヤが設置され、更に前記主動ベベルギヤを連動させて回転させることができ、前記ピストンかめと前記濾過チャンバとの間は水出管により連通され、前記ピストンかめの頂端には外部空間に連通している水入り管が設置されたことを特徴とする請求項１に記載の流動しない汚染水域の浄化システム。
【請求項５】
前記ゴミ処理機構は前記濾過チャンバの中に左右対称的に設置されたチェーンを含み、前記浄化チャンバの前壁の中には水中の不純物を貯蔵できるゴミ貯蔵チャンバが設置され、前記チェーンには二つの擦りロッドが配列されるように設置され、更に前記フィルターにある濾過された不純物を前記ゴミ貯蔵チャンバの中に送り込むことができ、前記濾過チャンバの中には転送軸が設置され、前記転送軸の左端には前記濾過チャンバの中に位置しており、且つ前記チェーンと噛み合っているスプロケットが設置され、更に前記チェーンを連動させて回転させることができ、前記濾過チャンバの右壁の中には転向チャンバが設置され、前記転送軸の右端には前記転向チャンバの中に位置している転送ベベルギヤが設置され、更に前記転送軸を連動させて回転させることができ、前記転向チャンバの中に伝送軸が設置され、前記伝送軸の頂端には前記転向チャンバの中に位置しており、且つ転送ベベルギヤと噛み合っている伝送ベベルギヤが設置され、更に前記転送ベベルギヤを連動させて回転させることができ、前記伝送軸の底端には前記動力チャンバの中に位置している伝動プーリが設置され、前記動力チャンバの中には回転軸が設置され、前記回転軸の外壁には回転プーリが設置され、前記回転プーリと前記伝動プーリとの間には伝動ベルトが伝動できるように設置されたことを特徴とする請求項１に記載の流動しない汚染水域の浄化システム。
【請求項６】
前記減速装置は前記動力チャンバの中に設置された高速軸を含み、前記高速軸の頂端には従動プーリが設置され、前記従動プーリと前記主動プーリとの間には動力ベルトが伝動できるように設置され、更に前記高速軸を連動させて回転させることができ、前記高速軸の底端には太陽ギヤが設置され、前記動力チャンバの中には低速軸が設置され、前記低速軸の頂端にはリングギヤが設置され、前記リングギヤと前記太陽ギヤとの間には遊星ギヤが伝動できるように設置され、更に前記リングギヤを連動させて徐々に回転させることができ、前記低速軸の底端には前記混合浄化装置を連動させて回転させることができる低速ギヤが設置されたことを特徴とする請求項１に記載の流動しない汚染水域の浄化システム。
【請求項７】
前記混合浄化装置は前記回転軸の底端に設置され、且つ前記低速ギヤと噛み合っている回転ギヤを含み、更に前記回転軸を連動させて回転させることができ、前記回転軸の中には固定チャンバが設置され、前記固定チャンバの中には旋転軸が左右対称的に設置され、前記旋転軸の外壁には攪拌棒が設置され、更に汚染された水と反応材料とを十分に混合させることができ、汚染水域の栄養塩含有量を下げ、前記旋転軸のうち前記固定チャンバに近接している一端には前記固定チャンバの中に位置している旋転ベベルギヤが設置され、前記固定チャンバの中には前記フィルターと固定的に連結された固定軸が設置され、前記固定軸の底端には前記旋転ベベルギヤと噛み合っている固定ベベルギヤが設置されたことを特徴とする請求項１に記載の流動しない汚染水域の浄化システム。
【請求項８】
前記酸素増加装置は前記動力チャンバの頂壁の中に設置されたウォータポンプを含み、前記浄化処理器の頂端には水を噴出できる噴出ヘッドが設置され、前記噴出ヘッドと前記ウォータポンプとが高圧水管により連通され、前記ウォータポンプと前記浄化チャンバとの間は低圧水管により連通され、更に前記ウォータポンプが浄化された水を加圧して設備の外部まで噴出でき、水を空気と接触させて水域の酸素含有量を増加し、水域の中の動物が生きることに便利を与え、前記動力軸の頂端が前記ウォータポンプと動力が伝達できるように連結されたことを特徴とする請求項１に記載の流動しない汚染水域の浄化システム。
【発明の詳細な説明】
【技術分野】
【０００１】
本発明は水域浄化分野を取り上げて、具体的には流動しない汚染水域の浄化システムである。
【背景技術】
【０００２】
社会の発展につれて、人々が生活環境への要求が高まり、しかし、一部の閉鎖された水域の流動性が低く、例えば湖など、流動性さえ存在しない水域もあり、また人々の生活ゴミや生活廃水等が絶えず水域に送り込まれるため、水質が悪くなり、水域の中の栄養塩が増加し、水域が富栄養化になり、これにより水域の表面にたくさんの植物プランクトンが異常増殖し、水域の中の酸素含有量が少なくなり、水域の中の生態システムに影響を及ぼし、一般的な処理方式は人で水面の植物を処理し、薬物をスプレーして水中の栄養塩含有量を少なくすることであり、しかし、当該方式は操作が難しく、労働強度が大きく、処理効率が低く、しかも作業員が長時間水面に位置し、安全問題が隠れており、そのため、本発明は流動しない汚染水域を自動的に処理できる浄化システムを設計することを目的とする。
【先行技術文献】
【特許文献】
【０００３】
【特許文献１】中国特許出願公開第１０５２３６６９５号明細書
【発明の概要】
【発明が解決しようとする課題】
【０００４】
技術問題：
従来の流動しない汚染水域の処理方式はいずれも人が手で水面の植物を処理し、また薬物をスプレーすることであり、操作が煩わしく、労働強度が大きく、処理効率が低い。
【課題を解決するための手段】
【０００５】
上記の問題を解決するために、本発明は流動しない汚染水域の浄化システムを設計し、本発明の流動しない汚染水域の浄化システムは、浄化処理器を含み、前記浄化処理器の中には浄化チャンバが設置され、前記浄化チャンバの中には水域の富栄養化元素を処理できる混合浄化装置が設置され、更に水中の栄養塩含有量を下げることができ、更に水域を浄化し、前記浄化チャンバの頂壁の中には前記浄化チャンバに連通した濾過チャンバが設置され、前記濾過チャンバと前記浄化チャンバとの間には水が通ることに便利を与えるフィルターが設置され、前記濾過チャンバの頂壁の中には水送りチャンバが設置され、前記水送りチャンバの左右両側の内壁の中にはピストンかめが対称的に設置され、前記ピストンかめの中には汚染された水を設備の中に吸い込んで前記混合浄化装置の中に送り込むことができる水送り機構が設置され、更に汚染された水域に対して浄化作業を行うことができ、前記濾過チャンバの中には水の中の不純物を排出できるゴミ処理機構が設置され、更に不純物が前記混合浄化装置の中に入ることを避け、前記浄化チャンバの底壁の中には動力チャンバが設置され、前記動力チャンバの中には浄化された後の水を噴き出すことができる酸素増加装置が設置され、更に水域の酸素含有量を上げ、水域の中の動物が生きることに便利を与え、前記動力チャンバの中には当該装置に動力を提供する駆動機構が設置され、前記動力チャンバの中には動力を前記混合浄化装置の中に伝送できる減速装置が設置され、更に前記混合浄化装置の回転スピードを制御できる。
【０００６】
好ましくは、前記駆動機構は前記動力チャンバの底壁の中に設置された原動機を含み、前記動力チャンバの中には動力軸が設置され、前記動力軸の底端が前記原動機と動力が伝達できるように連結され、前記動力軸の外壁には前記水送り機構を連動させることができる動力ギヤが設置され、前記動力軸の外壁には前記減速装置を連動させて回転させることができる主動プーリが設置された。
【０００７】
好ましくは、前記原動機は電動機又は油圧モータであり、前記動力軸を駆動して回転させることができる。
【０００８】
好ましくは、前記水送り機構は前記ピストンかめの中にスライドできるように設置されたピストンを含み、前記ピストンかめの中には前記ピストンと固定的に連結されたピストンロッドがスライドできるように設置され、更に前記ピストンを連動させて左右へスライドさせることができ、前記水送りチャンバの頂壁には延伸チャンバが設置され、前記水送りチャンバの中にはクランク軸が設置され、前記クランク軸の外壁には回転できる回転ブロックが設置され、前記回転ブロックと前記ピストンロッドとの間はコンロッドを通してヒンジにより連結され、前記クランク軸の頂端には前記延伸チャンバの中に位置している水送りベベルギヤが設置され、更に前記クランク軸を連動させて回転させることができ、前記延伸チャンバの左壁の中には伝動チャンバが設置され、前記伝動チャンバの中には延伸軸が設置され、前記延伸軸の右端には前記延伸チャンバの中に位置しており、且つ前記水送りベベルギヤと噛み合っている従動ベベルギヤが設置され、更に前記水送りベベルギヤを連動させて回転させることができ、前記延伸軸の左端には前記伝動チャンバの中に位置している主動ベベルギヤが設置され、更に前記延伸軸を連動させて回転させることができ、前記動力チャンバの中には伝動軸が設置され、前記伝動軸の底端には前記動力チャンバの中に位置しており、且つ前記動力ギヤと噛み合っている伝動ギヤが設置され、更に前記伝動軸を連動させて回転させることができ、前記伝動軸の頂端には前記伝動チャンバの中に位置しており、且つ前記主動ベベルギヤと噛み合っている伝動ベベルギヤが設置され、更に前記主動ベベルギヤを連動させて回転させることができ、前記ピストンかめと前記濾過チャンバとの間は水出管により連通され、前記ピストンかめの頂端には外部空間に連通している水入り管が設置され、更に設備の外部の水を吸い込んで前記濾過チャンバの中に送ることができる。
【０００９】
好ましくは、前記ゴミ処理機構は前記濾過チャンバの中に左右対称的に設置されたチェーンを含み、前記浄化チャンバの前壁の中には水中の不純物を貯蔵できるゴミ貯蔵チャンバが設置され、前記チェーンには二つの擦りロッドが配列されるように設置され、更に前記フィルターにある濾過された不純物を前記ゴミ貯蔵チャンバの中に送り込むことができ、前記濾過チャンバの中には転送軸が設置され、前記転送軸の左端には前記濾過チャンバの中に位置しており、且つ前記チェーンと噛み合っているスプロケットが設置され、更に前記チェーンを連動させて回転させることができ、前記濾過チャンバの右壁の中には転向チャンバが設置され、前記転送軸の右端には前記転向チャンバの中に位置している転送ベベルギヤが設置され、更に前記転送軸を連動させて回転させることができ、前記転向チャンバの中に伝送軸が設置され、前記伝送軸の頂端には前記転向チャンバの中に位置しており、且つ転送ベベルギヤと噛み合っている伝送ベベルギヤが設置され、更に前記転送ベベルギヤを連動させて回転させることができ、前記伝送軸の底端には前記動力チャンバの中に位置している伝動プーリが設置され、前記動力チャンバの中には回転軸が設置され、前記回転軸の外壁には回転プーリが設置され、前記回転プーリと前記伝動プーリとの間には伝動ベルトが伝動できるように設置され、更に前記伝動プーリにより前記伝送軸を連動させて回転させることができる。
【００１０】
好ましくは、前記減速装置は前記動力チャンバの中に設置された高速軸を含み、前記高速軸の頂端には従動プーリが設置され、前記従動プーリと前記主動プーリとの間には動力ベルトが伝動できるように設置され、更に前記高速軸を連動させて回転させることができ、前記高速軸の底端には太陽ギヤが設置され、前記動力チャンバの中には低速軸が設置され、前記低速軸の頂端にはリングギヤが設置され、前記リングギヤと前記太陽ギヤとの間には遊星ギヤが伝動できるように設置され、更に前記リングギヤを連動させて徐々に回転させることができ、前記低速軸の底端には前記混合浄化装置を連動させて回転させることができる低速ギヤが設置された。
【００１１】
好ましくは、前記混合浄化装置は前記回転軸の底端に設置され、且つ前記低速ギヤと噛み合っている回転ギヤを含み、更に前記回転軸を連動させて回転させることができ、前記回転軸の中には固定チャンバが設置され、前記固定チャンバの中には旋転軸が左右対称的に設置され、前記旋転軸の外壁には攪拌棒が設置され、更に汚染された水と反応材料とを十分に混合させることができ、汚染水域の栄養塩含有量を下げ、前記旋転軸のうち前記固定チャンバに近接している一端には前記固定チャンバの中に位置している旋転ベベルギヤが設置され、前記固定チャンバの中には前記フィルターと固定的に連結された固定軸が設置され、前記固定軸の底端には前記旋転ベベルギヤと噛み合っている固定ベベルギヤが設置され、更に前記旋転軸を連動させて前記旋転軸の中心軸線に沿って回転させることができる。
【００１２】
好ましくは、前記酸素増加装置は前記動力チャンバの頂壁の中に設置されたウォータポンプを含み、前記浄化処理器の頂端には水を噴出できる噴出ヘッドが設置され、前記噴出ヘッドと前記ウォータポンプとが高圧水管により連通され、前記ウォータポンプと前記浄化チャンバとの間は低圧水管により連通され、更に前記ウォータポンプが浄化された水を加圧して設備の外部まで噴出でき、水を空気と接触させて水域の酸素含有量を増加し、水域の中の動物が生きることに便利を与え、前記動力軸の頂端が前記ウォータポンプと動力が伝達できるように連結され、更に前記ウォータポンプを連動させて作動させることができる。
【発明の効果】
【００１３】
本発明の有益効果は：本発明は構成が簡単であり、操作しやすく、メンテナンスが便利であり、また当該設備は汚染された水を設備の中に吸い込み、浄化作業を行い、人が干渉する必要がなく、水域の浄化効率を上げ、また作業員の作業環境を改善し、作業員の安全を保証し、しかも当該設備は水域の酸素含有量を増加でき、水域の中の動物の生存率を高め、水域の生態システムを守り、そのため、当該設備は高い使用価値と普及する価値を有する。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の流動しない汚染水域の浄化システムの全体構成模式図
【図２】図２は図１の中のＡの構成模式図
【図３】図３は図１の中のＢの構成模式図
【図４】図４は図１の中のＣ―Ｃの構成模式図
【発明を実施するための形態】
【００１６】
本発明は流動しない汚染水域の浄化システムに関し、主に流動しない水域が汚染された後の浄化処理作業に応用され、以下は本発明の付図を交えて本発明について更に説明する。
【００１７】
本発明の流動しない汚染水域の浄化システムは、浄化処理器２２を含み、前記浄化処理器２２の中には浄化チャンバ２３が設置され、前記浄化チャンバ２３の中には水域の富栄養化元素を処理できる混合浄化装置１０５が設置され、更に水中の栄養塩含有量を下げることができ、更に水域を浄化し、前記浄化チャンバ２３の頂壁の中には前記浄化チャンバ２３に連通した濾過チャンバ２１が設置され、前記濾過チャンバ２１と前記浄化チャンバ２３との間には水が通ることに便利を与えるフィルター３２が設置され、前記濾過チャンバ２１の頂壁の中には水送りチャンバ４３が設置され、前記水送りチャンバ４３の左右両側の内壁の中にはピストンかめ１９が対称的に設置され、前記ピストンかめ１９の中には汚染された水を設備の中に吸い込んで前記混合浄化装置１０５の中に送り込むことができる水送り機構１０２が設置され、更に汚染された水域に対して浄化作業を行うことができ、前記濾過チャンバ２１の中には水の中の不純物を排出できるゴミ処理機構１０３が設置され、更に不純物が前記混合浄化装置１０５の中に入ることを避け、前記浄化チャンバ２３の底壁の中には動力チャンバ２７が設置され、前記動力チャンバ２７の中には浄化された後の水を噴き出すことができる酸素増加装置１０６が設置され、更に水域の酸素含有量を上げ、水域の中の動物が生きることに便利を与え、前記動力チャンバ２７の中には当該装置に動力を提供する駆動機構１０１が設置され、前記動力チャンバ２７の中には動力を前記混合浄化装置１０５の中に伝送できる減速装置１０４が設置され、更に前記混合浄化装置１０５の回転スピードを制御できる。
【００１８】
実施例によると、以下は前記駆動機構１０１について詳しく説明し、前記駆動機構１０１は前記動力チャンバ２７の底壁の中に設置された原動機５５を含み、前記動力チャンバ２７の中には動力軸５４が設置され、前記動力軸５４の底端が前記原動機５５と動力が伝達できるように連結され、前記動力軸５４の外壁には前記水送り機構１０２を連動させることができる動力ギヤ５３が設置され、前記動力軸５４の外壁には前記減速装置１０４を連動させて回転させることができる主動プーリ５１が設置された。
【００１９】
有益的には、前記原動機５５は電動機又は油圧モータであり、前記動力軸５４を駆動して回転させることができる。
【００２０】
実施例によると、以下は前記水送り機構１０２について詳しく説明し、前記水送り機構１０２は前記ピストンかめ１９の中にスライドできるように設置されたピストン１８を含み、前記ピストンかめ１９の中には前記ピストン１８と固定的に連結されたピストンロッド１７がスライドできるように設置され、更に前記ピストン１８を連動させて左右へスライドさせることができ、前記水送りチャンバ４３の頂壁には延伸チャンバ３８が設置され、前記水送りチャンバ４３の中にはクランク軸４０が設置され、前記クランク軸４０の外壁には回転できる回転ブロック４１が設置され、前記回転ブロック４１と前記ピストンロッド１７との間はコンロッド４２を通してヒンジにより連結され、前記クランク軸４０の頂端には前記延伸チャンバ３８の中に位置している水送りベベルギヤ３９が設置され、更に前記クランク軸４０を連動させて回転させることができ、前記延伸チャンバ３８の左壁の中には伝動チャンバ１１が設置され、前記伝動チャンバ１１の中には延伸軸１３が設置され、前記延伸軸１３の右端には前記延伸チャンバ３８の中に位置しており、且つ前記水送りベベルギヤ３９と噛み合っている従動ベベルギヤ３７が設置され、更に前記水送りベベルギヤ３９を連動させて回転させることができ、前記延伸軸１３の左端には前記伝動チャンバ１１の中に位置している主動ベベルギヤ１２が設置され、更に前記延伸軸１３を連動させて回転させることができ、前記動力チャンバ２７の中には伝動軸１５が設置され、前記伝動軸１５の底端には前記動力チャンバ２７の中に位置しており、且つ前記動力ギヤ５３と噛み合っている伝動ギヤ５２が設置され、更に前記伝動軸１５を連動させて回転させることができ、前記伝動軸１５の頂端には前記伝動チャンバ１１の中に位置しており、且つ前記主動ベベルギヤ１２と噛み合っている伝動ベベルギヤ１４が設置され、更に前記主動ベベルギヤ１２を連動させて回転させることができ、前記ピストンかめ１９と前記濾過チャンバ２１との間は水出管２０により連通され、前記ピストンかめ１９の頂端には外部空間に連通している水入り管４５が設置され、更に設備の外部の水を吸い込んで前記濾過チャンバ２１の中に送ることができる。
【００２１】
実施例によると、以下は前記ゴミ処理機構１０３について詳しく説明し、前記ゴミ処理機構１０３は前記濾過チャンバ２１の中に左右対称的に設置されたチェーン３４を含み、前記浄化チャンバ２３の前壁の中には水中の不純物を貯蔵できるゴミ貯蔵チャンバ７０が設置され、前記チェーン３４には二つの擦りロッド３３が配列されるように設置され、更に前記フィルター３２にある濾過された不純物を前記ゴミ貯蔵チャンバ７０の中に送り込むことができ、前記濾過チャンバ２１の中には転送軸４８が設置され、前記転送軸４８の左端には前記濾過チャンバ２１の中に位置しており、且つ前記チェーン３４と噛み合っているスプロケット３５が設置され、更に前記チェーン３４を連動させて回転させることができ、前記濾過チャンバ２１の右壁の中には転向チャンバ４６が設置され、前記転送軸４８の右端には前記転向チャンバ４６の中に位置している転送ベベルギヤ４７が設置され、更に前記転送軸４８を連動させて回転させることができ、前記転向チャンバ４６の中に伝送軸３１が設置され、前記伝送軸３１の頂端には前記転向チャンバ４６の中に位置しており、且つ転送ベベルギヤ４７と噛み合っている伝送ベベルギヤ４９が設置され、更に前記転送ベベルギヤ４７を連動させて回転させることができ、前記伝送軸３１の底端には前記動力チャンバ２７の中に位置している伝動プーリ２９が設置され、前記動力チャンバ２７の中には回転軸２８が設置され、前記回転軸２８の外壁には回転プーリ６９が設置され、前記回転プーリ６９と前記伝動プーリ２９との間には伝動ベルト３０が伝動できるように設置され、更に前記伝動プーリ２９により前記伝送軸３１を連動させて回転させることができる。
【００２２】
実施例によると、以下は前記減速装置１０４について詳しく説明し、前記減速装置１０４は前記動力チャンバ２７の中に設置された高速軸６３を含み、前記高速軸６３の頂端には従動プーリ６４が設置され、前記従動プーリ６４と前記主動プーリ５１との間には動力ベルト５６が伝動できるように設置され、更に前記高速軸６３を連動させて回転させることができ、前記高速軸６３の底端には太陽ギヤ６１が設置され、前記動力チャンバ２７の中には低速軸５８が設置され、前記低速軸５８の頂端にはリングギヤ６０が設置され、前記リングギヤ６０と前記太陽ギヤ６１との間には遊星ギヤ６２が伝動できるように設置され、更に前記リングギヤ６０を連動させて徐々に回転させることができ、前記低速軸５８の底端には前記混合浄化装置１０５を連動させて回転させることができる低速ギヤ５７が設置された。
【００２３】
実施例によると、以下は前記混合浄化装置１０５について詳しく説明し、前記混合浄化装置１０５は前記回転軸２８の底端に設置され、且つ前記低速ギヤ５７と噛み合っている回転ギヤ５９を含み、更に前記回転軸２８を連動させて回転させることができ、前記回転軸２８の中には固定チャンバ６５が設置され、前記固定チャンバ６５の中には旋転軸２５が左右対称的に設置され、前記旋転軸２５の外壁には攪拌棒２４が設置され、更に汚染された水と反応材料とを十分に混合させることができ、汚染水域の栄養塩含有量を下げ、前記旋転軸２５のうち前記固定チャンバ６５に近接している一端には前記固定チャンバ６５の中に位置している旋転ベベルギヤ６６が設置され、前記固定チャンバ６５の中には前記フィルター３２と固定的に連結された固定軸６８が設置され、前記固定軸６８の底端には前記旋転ベベルギヤ６６と噛み合っている固定ベベルギヤ６７が設置され、更に前記旋転軸２５を連動させて前記旋転軸２５の中心軸線に沿って回転させることができる。
【００２４】
実施例によると、以下は前記酸素増加装置１０６について詳しく説明し、前記酸素増加装置１０６は前記動力チャンバ２７の頂壁の中に設置されたウォータポンプ２６を含み、前記浄化処理器２２の頂端には水を噴出できる噴出ヘッド３６が設置され、前記噴出ヘッド３６と前記ウォータポンプ２６とが高圧水管４４により連通され、前記ウォータポンプ２６と前記浄化チャンバ２３との間は低圧水管５０により連通され、更に前記ウォータポンプ２６が浄化された水を加圧して設備の外部まで噴出でき、水を空気と接触させて水域の酸素含有量を増加し、水域の中の動物が生きることに便利を与え、前記動力軸５４の頂端が前記ウォータポンプ２６と動力が伝達できるように連結され、更に前記ウォータポンプ２６を連動させて作動させることができる。
【００２５】
以下は付図を交えて本発明の流動しない汚染水域の浄化システムの使用ステップについて詳しく説明する：
【００２６】
当該設備を使用する時、原動機５５が作動しはじめ、動力軸５４により動力ギヤ５３と主動プーリ５１とを連動させて回転させ、更に動力ギヤ５３が伝動ギヤ５２と、伝動軸１５と、伝動ベベルギヤ１４と、主動ベベルギヤ１２と、延伸軸１３と、従動ベベルギヤ３７と、水送りベベルギヤ３９とによりクランク軸４０を連動させて回転させ、更に回転ブロック４１と、コンロッド４２と、ピストンロッド１７とによりピストン１８を連動させて左右へスライドさせ、更に汚染された水をピストンかめ１９の中に吸い込んで濾過チャンバ２１の中に送り込み、汚染された水がフィルター３２により濾過されて浄化チャンバ２３の中に入り、同時に、主動プーリ５１は動力ベルト５６と、従動プーリ６４と、高速軸６３と、太陽ギヤ６１と、遊星ギヤ６２と、リングギヤ６０と、低速軸５８と、低速ギヤ５７と、回転ギヤ５９とにより回転軸２８を連動させて回転させ、更に回転軸２８が旋転軸２５を連動させて回転軸２８の中心軸線に沿って回転させ、同時に、固定ベベルギヤ６７が旋転ベベルギヤ６６と旋転軸２５とにより攪拌棒２４を連動させて旋転軸２５の中心軸線に沿って回転させ、汚染された水を攪拌し、更に水中の栄養塩含有量を下げ、それと同時に、回転軸２８が回転プーリ６９と、伝動ベルト３０と、伝動プーリ２９と、伝送軸３１と、伝送ベベルギヤ４９と、転送ベベルギヤ４７と、転送軸４８と、スプロケット３５とによりチェーン３４を連動させて回転させ、更に擦りロッド３３を連動させてスライドさせ、更に濾過されたゴミをゴミ貯蔵チャンバ７０の中に転送し、同時に、動力軸５４がウォータポンプ２６を連動させて作動させ、更に浄化された水を噴出ヘッド３６により空気の中に噴出し、水域の酸素含有量を増加する。
【００２７】
本発明の有益効果は：本発明は構成が簡単であり、操作しやすく、メンテナンスが便利であり、また当該設備は汚染された水を設備の中に吸い込み、浄化作業を行い、人が干渉する必要がなく、水域の浄化効率を上げ、また作業員の作業環境を改善し、作業員の安全を保証し、しかも当該設備は水域の酸素含有量を増加でき、水域の中の動物の生存率を高め、水域の生態システムを守り、そのため、当該設備は高い使用価値と普及する価値を有する。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020203271.tif 000003
【図２】
2020203271.tif 000004
【図３】
2020203271.tif 000005
【図４】
2020203271.tif 000006